(57)【要約】      （修正有）【課題】カードケースの構成を改善するとともに、点滅発光に工夫を加えて、更に嗜好性を富ませることができるカードケースを提供する。【解決手段】カードケース１０は、光を通す材料から成って穴等がなく且つ装飾が施されている装飾表面１ａを有する第１シート１と、光を発する複数個の発光部４４とそれらの発光部４４を順次に点滅させる点滅信号を生成する点滅部４３とを有する電子回路４とを備える。また、それぞれの発光部４４は、電子回路４の周辺に敷設され、第１シート１の装飾表面１ａで、電子回路４の周辺に設けたそれぞれの発光部４４を被覆し、点滅部４３は、第１シート１を透過し装飾表面１ａから発する点滅光が電子回路４の周辺を回るよう点滅信号を生成する。このとき、０．６秒の間ないし１秒の間に、点滅光が電子回路４の周辺を少なくとも一周することにより、カードケースの嗜好性が更に向上する。【選択図】図１
0003166170.tif 000002
【実用新案登録請求の範囲】
【請求項１】
点滅信号を生成する点滅部と前記点滅信号により点滅光を順次に発する複数個の発光部とを有する電子回路と、
前記点滅光を通す材料から成り装飾表面を有する第１シートと、を備えるカードケースであって、
それぞれの前記発光部は、前記電子回路の周辺に敷設され、
前記第１シートの前記装飾表面は、それぞれの前記発光部を被覆し、
前記点滅部は、前記点滅光が前記電子回路の前記周辺を回りながら前記第１シートを透過し当該装飾表面から発するよう前記点滅信号を生成することを特徴とするカードケース。
【請求項２】
前記点滅光は、０．６秒の間ないし１秒の間に、前記電子回路の前記周辺を少なくとも一周することを特徴とする請求項１に記載のカードケース。
【考案の詳細な説明】
【技術分野】
【０００１】  本考案は、ＩＣカードを収めるとともに光を発するカードケースに関する。
【背景技術】
【０００２】  従来のカードケースとして、非接触式ＩＣカードケース（特許文献１参照）がある。
このカードケースは、非接触式ＩＣカードを収容可能に設けられるとともに、自動改札機等の質問器が発信する信号を受信する受信部と、該受信部により前記信号を受信した際に発光する発光部とを備え、該発光部はケース本体の表面側に点灯部位が表出するように配置されているものである。このカードケースは、嗜好性を富ませるものである。
また、他のカードケースとして、パスケース（特許文献２参照）がある。このパスケースは、ＩＣカードの表面側を保護する窓付きフロントシート等から構成され、該窓付きフロントシートが、ＩＣカードの表面を視認するために空けられた窓部や、発光素子で発生した光を透過する光透過部を有するマスクを取り付けるために空けられたマスク取付部などから構成されて、パスケースの外観の嗜好性を向上させるものである。
【先行技術文献】
【特許文献】
【０００３】
【特許文献１】  特開２００５−２９３１８１号公報
【特許文献２】  実用新案登録第３１３２１２８号公報
【考案の概要】
【考案が解決しようとする課題】
【０００４】  近年、非接触型のＩＣカードを収納するカードケースにおいて、ＩＣカードの表示内容を視認する必要がなくなっている。これによって、カードケース表面の表現や表示の自由度が広がり、カードケースは、種々の形で作られるとともに、カードケースの表面は、ユニークな意匠とカラフルな色彩模様で装飾されるようになって来ている。
しかしながら、特許文献１に示すカードケースでは、ケース本体の表面側に点灯部位が表出する穴がある。また、特許文献２に示すパスケースでは、窓付きフロントシートに窓部やマスク取付部（即ち、穴）がある。これらの窓や穴により、カードケース等に施される装飾が損なわれるという課題があった。換言すれば、穴等によってカードケース表面の意匠や色彩模様が制限されることになり、カードケースの嗜好性向上の弊害になっている。【０００５】  一方、上記カードケースの発光部による発光は、単に光を発するものである。また、上記パスケースの発光素子による発光は、マスクの模様に変化を与えるもの、または意外性を使用者に与えるものである。即ち、上記背景技術は、発光部や発光素子による点滅発光技術について開示しているものではなく、カードケースの嗜好性の向上に余地がある。【０００６】  したがって本考案は、カードケースの構成を改善して、更に嗜好性を向上することができるカードケースを提供することを目的としている。
また、カードケースの構成を改善するとともに、点滅発光に工夫を加えて、更に嗜好性を富ませることができるカードケースを提供することを目的としている。
【課題を解決するための手段】
【０００７】  請求項１記載の本考案のカードケースは、点滅信号を生成する点滅部と前記点滅信号により点滅光を順次に発する複数個の発光部とを有する電子回路と、前記点滅光を通す材料から成り装飾表面を有する第１シートと、を備えるカードケースであって、それぞれの前記発光部は、前記電子回路の周辺に敷設され、前記第１シートの前記装飾表面は、それぞれの前記発光部を被覆し、前記点滅部は、前記点滅光が前記電子回路の前記周辺を回りながら前記第１シートを透過し当該装飾表面から発するよう前記点滅信号を生成することを特徴とする。
請求項２記載の本考案は、請求項１に記載のカードケースにおいて、前記点滅光は、０．６秒の間ないし１秒の間に、前記電子回路の前記周辺を少なくとも一周することを特徴とする。
【考案の効果】
【０００８】  本考案によれば、穴などによってカードケースの表面の一部を欠くことがなくなり、カードケースの全表面を広く活かせるので、カードケースを自由自在の意匠や色彩模様で装飾することができる。これにより、カードケースの嗜好性を更に向上することができる。
また、点滅光がカードケースの周辺を巡るという風に点滅発光に工夫を加えることにより、カードケースの嗜好性を更に富ませることができる。
【図面の簡単な説明】
【０００９】
【図１】  本考案による一実施例のカードケースを示す分解斜視図
【図２】  図１に示すカードケースの長手方向の断面図
【図３】  図１に示すカードケースの一実施例の電子回路を示す平面図
【考案を実施するための形態】
【００１０】  本考案の第１の実施の形態によるカードケースは、点滅信号を生成する点滅部と点滅信号により点滅光を順次に発する複数個の発光部とを有する電子回路と、点滅光を通す材料から成り装飾表面を有する第１シートと、を備えるカードケースであって、それぞれの発光部は、電子回路の周辺に敷設され、第１シートの装飾表面は、それぞれの発光部を被覆し、点滅部は、点滅光が電子回路の周辺を回りながら第１シートを透過し当該装飾表面から発するよう点滅信号を生成するものである。
本実施の形態によれば、カードケースは、その装飾表面に窓や穴を有しない構成となっているので、カードケース表面の表現・表示の自由度が広がり、且つ、点滅光が電子回路の周辺を巡るので、カードケースの嗜好性を更に向上することができる。
本考案の第２の実施の形態は、第１の実施の形態によるカードケースにおいて、点滅光は、０．６秒の間ないし１秒の間に、電子回路の周辺を少なくとも一周するものである。
本実施の形態によれば、カードケースをカード読取機にかざしている間に、点滅光がカードケースの周辺を回り切るので、カードケースは使用者の目から受ける感覚を満足させるものとなり、カードケースの嗜好性を更に富ませることができる。
【実施例】
【００１１】  本考案による一実施例のカードケースについて、図面を参照して説明する。
図１は、本考案による一実施例のカードケースを示す分解斜視図であり、図２は、図１に示すカードケースの長手方向の断面図である。なお、図１にその長手方向を矢印で示す。
また、図３は、図１に示すカードケースの一実施例の電子回路を示す平面図である。【００１２】  図１及び図２に示すように、本実施例のカードケース１０は、第１シート１と、第２シート２と、第３シート３と、電子回路４とから構成される。
また、図２に示すように、カードケース１０では、第１シート１及び第２シート２の四方の周縁同士が接続部２１で接続されて、第１シート１と第２シート２とは係合されている。この構成により、第１シート１及び第２シート２の内側に収納部２２が形成される。そして、この収納部２２に電子回路４が収められている。
このとき電子回路４に設けている発光部４４（の点灯部位４５（図２参照））が、第１シート１の裏面（図示せず）に接するようにして、電子回路４が収納部２２に収められる。換言すれば、第１シート１は、即ち第１シート１の装飾表面１ａは、電子回路４の周辺に設けたそれぞれの発光部４４（の点灯部位４５）を被覆している。即ち、ケース本体の表面側に該当する装飾表面１ａは、点灯部位４５が表出する穴を有していない構成である。
この構成によって、図２に示すように、発光部４４の光（即ち、後述する点滅光）は、第１シート１を透過して、第１シート１の装飾表面１ａから発する。【００１３】  また、第２シート２及び第３シート３の三方の周縁同士が接続部３１で接続されて、第２シート２と第３シート３とは係合されている。この構成によって、一方に開口部５１を有するカード収納部５が形成される。そして、図２の二点鎖線で示すように、このカード収納部５に非接触型のＩＣカード６が収められる。
なお、本実施例では、ＩＣカード６がカードケース１０のカード収納部５に必ず収められている構成に限定しているものではない。また、第３シート３の長手方向の長さを、第２シート２の長手方向の長さより短くする構成としている。この構成によって、ＩＣカード６の開口部５１からの挿入を容易にすることができる。【００１４】  ところで、本実施例のカードケース１０では、第１シート１、第２シート２及び第３シート３は、光（含む点滅光）を通す材料、例えば、塩化ビニルシートから成る。また、シート周縁同士の接続は、熔着で行っている。各シートの厚さは、０．３ｍｍである。透明性の低い材料を第１シート１に採用する場合は、第１シート１の厚さを薄くすることにより、光の透過性を上げることが望ましい。
そして、窓や穴を有していない表面を有する第１シート１に、印刷やフィルム貼付などで色鮮やかな装飾が施されている。即ち、第１シート１は、その表面が装飾された装飾表面１ａを有している。
なお、本実施例のカードケース１０において、第１シート１は、その装飾表面１ａの全面が装飾される構成に限定しているものではなく、その装飾表面１ａの一部が装飾される構成であっても可である。また、第３シート３の表面が第１シート１の表面と同様の装飾で仕上げられる構成でも可である。【００１５】  一方、図３に示すように、本実施例の電子回路４は、基板４１と、この基板４１に設けたところの、受信部４２、点滅部４３及び複数個の発光部４４とから構成される。
本実施例の複数個の発光部４４は、１０個の発光素子４４ａ，４４ｂ，４４ｃ，４４ｄ，４４ｅ，４４ｆ，４４ｇ，４４ｈ，４４ｉ，４４ｊから構成されている。それぞれの発光素子４４ａ，４４ｂ，４４ｃ，４４ｄ，４４ｅ，４４ｆ，４４ｇ，４４ｈ，４４ｉ，４４ｊは、所定の間隔で、電子回路４をめぐるようにして、基板４１の周辺（言い換えれば、基板４１の周縁の近傍）に敷設されている。そして、受信部４２及び点滅部４３の働き・作用により、発光部４４が順次に点滅する。例えば、発光素子４４ａが最初に点滅し、次に発光素子４４ｂが点滅し、次に発光素子４４ｃが点滅し、・・・、次に発光素子４４ｊが点滅し、次に発光素子４４ａが点滅し、次に発光素子４４ｂが点滅するように、順番に点滅し、点滅光が電子回路４の周辺を周回する。【００１６】  そして、本実施例の電子回路４では、基板４１は、ガラスエポキシ基盤から成り、その厚さは、１．１ｍｍである。
受信部４２は、電気伝導材のコイルから成り、このコイルがカード読取機等から電波を受けることによって、コイルに電流が流れて電磁誘導起電力が発生する。
点滅部４３は、半導体や抵抗等からなる集積回路などから成り、カードケース１０がカード読取機等に触れた時に、基板４１の周辺を超高速で点滅光を巡回させる回路となっている。そして、点滅部４３は、受信部４２で発生した電磁誘導起電力を利用して、発光部４４を点滅させる点滅信号を生成し、その点滅信号をそれぞれの発光部４４に順次に出力する。
また、それぞれの発光部４４である発光素子４４ａ〜４４ｊは、例えば発光ダイオード（ＬＥＤ）から成り、点滅部４３から点滅信号を受ける。点滅信号を受けると、１０個の発光素子４４ａ〜４４ｊが、点灯と消灯とを順番に繰り返し、順次に点滅する。この構成によって、使用者には、発光部４４の点滅光が基板４１の周辺（即ち、電子回路４の周辺）を回るように見える。即ち、点滅光は、電子回路４の周辺を回りながら第１シート１を透過し装飾表面１ａから発する。上記のような点滅部４３や発光部４４に依る発光方式（又は、発光形式）を周回点滅と定義する。【００１７】  ＩＣカードの使用状態において、使用者がＩＣカードをカード読取機等にかざしている「カードかざし時間」は、１秒前後である。なお、実際は動きながらカードをかざすので、その「カードかざし時間」は、０．６秒ないし１秒ぐらいである。また、カードをかざす行為には、使用者がＩＣカードをカード読取機等に軽く触れさせる行為も含まれる。
そして、本実施例のカードケース１０では、上記の「カードかざし時間」の間に、点滅光が電子回路４の周辺（即ち、カードケース１０の周辺）を少なくとも一周するよう、点滅部４３が点滅信号を生成する構成としている。
つぎに、「カードかざし時間」内に、例えば、１０個の発光素子４４ａ〜４４ｊを点滅させて、その点滅光がカードケース１０の周辺を一周するように構成する理由について説明する。
カードかざし時間内に、例えば１０個のうちの６個の発光素子４４ａ〜４４ｆが点滅し、カードケース１０の周辺を点滅光が回り切らない場合、周回点滅が遅過ぎてカードケース１０の使用者に「中途半端だなー」という違和感を与える。
また、カードかざし時間内に、例えば点滅光が二周又は三周と周回し、カードケース１０の周辺を点滅光が回り過ぎる場合、周回点滅が速過ぎて目が廻る又は目がチカチカするなど、使用者等に視覚上好ましくない悪影響を与えるからである。【００１８】  なお、忙しない使用者又は気の短い使用者に対応することを考慮した場合、本実施例のカードケース１０を、例えば、カードかざし時間の０．６秒の間に点滅光が二周する構成とし、０．３秒の間に点滅光が少なくとも一周する構成とするも可である。
また、本実施例のカードケース１０では、１０個の発光素子４４ａ〜４４ｊを点滅させる構成としている。しかしながら１０個に限定されるものではなく、６個の発光素子から成る構成でも、または１４個の発光素子から成る構成であっても可である。そして、これらの構成の場合でも、カードかざし時間の間に、点滅光がカードケース１０の周辺をぐるりと回り切るように構成する。
また、本実施例のカードケース１０において、発光部４４を１０個に設定した理由は、カードケース１０の寸法を、例えば７５ｍｍ×１１０ｍｍ（長手方向）とした場合、発光部４４の美的な敷設間隔や、点滅部４３等に依る満足感を与える且つ目に優しい周回点滅を考慮すると、１０個が好ましいからである。【００１９】  ところで、ＩＣカードの寸法は、５４ｍｍ×８６ｍｍ（長手方向）ぐらいである。この寸法のＩＣカードを収納できる条件から、カードケース１０の最小寸法は、６０ｍｍ×９２ｍｍ（長手方向）ぐらいである。また、カードケースは手に持たれる条件から、カードケース１０の最大寸法は、９０ｍｍ×１２８ｍｍ（長手方向）ぐらいである。これらの寸法に対して、上記の敷設間隔や周回点滅を考慮すれば、発光部４４の最小個数は６個が、また最大個数は１４個が望ましい。即ち、カードケース１０の寸法に応じて、敷設間隔及び周回点滅を設定することになる。【００２０】  ここで、美的な敷設間隔と目に優しい周回点滅について説明する。
敷設間隔は、例えば隣り合う発光素子４４ｂと発光素子４４ｃの間の距離であり、美的な敷設間隔とは、カードケース１０の寸法と発光部４４の敷設間隔の均衡が取れていることである。
そして、本発明のカードケース１０では、好ましい敷設間隔の範囲を、２４ｍｍ〜４２ｍｍとしている。本実施例のカードケース１０では、敷設間隔の範囲を、３０ｍｍ前後としている。また、上記最小寸法のカードケース１０の敷設間隔は、４０ｍｍ前後が望ましい。更に、上記最大寸法のカードケース１０の敷設間隔は、２６ｍｍ前後が望ましい。
一方、周回点滅には、二種類が関係する。一つは、カードケース１０の周辺を回って移動する点滅光の回転速度（ｍｍ／ｓｅｃ）であり、もう一つは、先の発光部４４が点滅し次の発光部４４が点滅するまでの点滅時間（ｓｅｃ／個）である。そして、上記回転速度が速過ぎると目が廻り、点滅時間が短すぎると目がチカチカする。なお、回転速度はカードケース１０の寸法に依存し、点滅時間は発光部４４の個数に依存する。【００２１】  そして、本発明のカードケース１０では、好ましい回転速度の範囲を、２４０〜１２５０ｍｍ／ｓｅｃとしている。本実施例のカードケース１０では、回転速度の範囲を、３００〜１０３０ｍｍ／ｓｅｃとしている。また、カードかざし時間の長い場合の回転速度は、２４０〜３８０ｍｍ／ｓｅｃが望ましい。更に、カードかざし時間の短い場合の回転速度は、８２０〜１２５０ｍｍ／ｓｅｃが望ましい。
一方、本発明のカードケース１０では、好ましい点滅時間の範囲を、０．０２〜０．１７ｓｅｃ／個としている。本実施例のカードケース１０では、点滅時間の範囲を、０．０３〜０．１ｓｅｃ／個としている。また、カードケース寸法の小さい場合の点滅時間は、０．０５〜０．１７ｓｅｃ／個が望ましい。更に、カードケース寸法の大きい場合の点滅時間は、０．０２〜０．０７ｓｅｃ／個が望ましい。従って、目に優しい周回点滅とは、回転速度や点滅時間が上記の範囲にあることである。【００２２】  次に、本実施例のカードケース１０の使い方（その１）について説明する。
使用者は、ＩＣカード６を入れたカードケース１０を、自動改札機にかざす。このとき、自動改札機とカードケース１０との間で電波の送受が行われて、カードケース１０の受信部４２に電磁誘導起電力が発生する。この電磁誘導起電力が受信部４２から点滅部４３に入力すると、点滅信号が点滅部４３から発光部４４に出力される。そして、発光部４４である１０個の発光素子４４ａ〜４４ｊから、基板４１の周辺をぐるりと回り切るよう、点滅光が順次に発する。
この点滅光は、カードケース１０の第１シート１を透過し、カードケース１０の周辺を回りながらその装飾表面１ａから外に向かって順番に発する。この発光部４４の周回点滅によって、第１シート１に施された色鮮やかな装飾を、カードケース１０の使用者や使用者の周囲にいる者に、引き立たせて且つ見せ付ける。【００２３】  このように、本実施例のカードケース１０では、窓や穴などによってカードケース表面の装飾が損なわれることがないので、カードケース１０の装飾を引き立たせて且つ見せ付けることができる。これによって、嗜好性をさらに向上させる効果がある。
このとき点滅光は、カードケース１０の周辺を一周してぐるりと回り切るので、カードケース使用者は満足感を得ることができる。これによって、カードケース１０の嗜好性をさらに富ませる効果がある。【００２４】  次に、カードケース１０の使い方（その２）について説明する。
例えば、コンビニエンス・ショップにおいて、使い方（その１）で自動改札機に軽く触れさせたものとは異なるところの、別のカードケース１０を、クレジット・カードのカード読取機に軽く触れさせる。これによって、この別のカードケース１０の異なる意匠や色彩模様を、且つ周回点滅を楽しむことができる。換言すれば、複数個のカードケース１０を持ち、それらをＴＰＯ（時と場所と場合）で使い分け、使用者の遊び心を満すことが可能である。このときカードケース１０にＩＣカード６が必ず収められている必要性はない。
本実施例のカードケース１０であれば、カードケースの意匠や色彩模様を損なうことがなく、むしろその意匠や色彩模様を目立たせるので、流行に敏感な若者向きの、意匠や色彩模様を重視したカードケースやパスケースが提供されるという効果がある。換言すれば、カードケースはファッショナブル感覚の優れた嗜好品となるという効果がある。【００２５】  以上の本実施例のカードケース１０は、光を通す材料から成って穴等がなく且つ全面装飾が施されている装飾表面１ａを有する第１シート１と、電気信号により光を発する複数個の発光部４４及びそれらの発光部４４を順次に点滅させる電気信号（即ち、点滅信号）を生成する点滅部４３を有する電子回路４とを備えている。そして、第１シート１は、その装飾表面１ａで全ての発光部４４を被覆し、それぞれの発光部４４は、電子回路４の周辺に敷設されている。そして、当該周辺を回りながら点滅する点滅光は、第１シート１を通過して、第１シートの装飾表面１ａから発する構成となっている。この構成によって、カードケース１０を意匠や色彩模様の点から優れた嗜好品とすることができる。【００２６】  また、本発明のカードケース１０は、カードかざし時間の間に、点滅光がカードケース１０の周辺を少なくとも一巡する構成となっている。この構成によって、カードケース１０の使用者に満足感を与えることができる。
また、本実施例のカードケース１０では、周回点滅する点滅光が、０．６秒の間ないし１秒の間に、電子回路４の周辺を少なくとも一周する構成としたものである。この構成によって、カードケース１０の嗜好性を更に富ませることができる。【００２７】  ところで、本実施例のカードケース１０は、点滅光が発光素子４４ａから発光素子４４ｂを経て発光素子４４ｊへ、電子回路４の周辺を一方向に順番に回る構成である。換言すれば、カードかざし時間内に、一方向に点滅光が一巡する構成である。
しかしながら、発光素子４４ａから発光素子４４ｂを経て発光素子４４ｆへ順方向に順番に回る、と同時に発光素子４４ａから発光素子４４ｊを経て発光素子４４ｆへ逆方向に順番に回る構成であっても可である。即ち、カードかざし時間内に、順逆の二方向に分けて点滅光が一巡する構成である。この順逆の二方向に分けて点滅光が一巡する構成の場合は、半分の回転速度でもって点滅光が一巡することが可能となり、周回点滅の中途半端な違和感を払拭するので、更に目に優しい周回点滅が得られるという利点がある。
また、順番や方向を不定として点滅光が巡る構成、言い換えれば、カードかざし時間内に、ランダムに点滅光が一巡する構成であっても可である。
なお、上記の点滅光が一巡する構成とは、例えば発光部４４が１０個あれば、この１０個全ての発光部４４における点滅が一通り行き渡る構成を指している。即ち、カードかざし時間内に、一つも欠くことが無く全ての発光部４４が点滅する構成である。
このような点滅光が一巡する構成であれば、点滅光がカードケース１０をひとめぐりするので、カードケース１０は使用者を満足させるものとなり、カードケース１０の嗜好性を更に向上させることができる。
【産業上の利用可能性】
【００２８】  本考案にかかるカードケースは、カードケースの嗜好性を高める効果を有し、ＩＣカードのカードケースとして、またおしゃれグッズ（キャラクターグッズなど）や玩具としても有用である。
【符号の説明】
【００２９】  １    第１シート
１ａ  装飾表面
２    第２シート
３    第３シート
４    電子回路
５    カード収納部
６    ＩＣカード
１０    カードケース
２１，３１    接続部
２２    収納部
４１    基板
４２    受信部
４３    点滅部
４４    発光部
４４ａ〜４４ｊ    発光素子
４５    点灯部位
５１    開口部
【図１】
0003166170.tif 000003
【図２】
0003166170.tif 000004
【図３】
0003166170.tif 000005